(57)【要約】      （修正有）【課題】１人用の複数種の食器を１人分ずつ重ねて収納することができ、その収納した形状が優美でまとまりが良く、配膳に便利でかつ食事をする際にも持ちやすく使い勝手の良い食器のセットを提供する。【解決手段】汁椀１と飯椀２と皿３とにより食器のセットを構成する。飯椀の上縁部を皿の外周の下端と汁椀の上縁との間に挟んだ状態で、飯椀を汁椀の内側に収納し、皿の上面を上にした状態で、皿を飯椀の上縁に積重することができるように汁椀、飯椀および皿の上縁部を形成する。積重したとき、皿の外周面、飯椀上縁部外周面及び汁椀上縁部外周面が同一の円筒面を形成する。【選択図】図１
0003171052.tif 000002
【実用新案登録請求の範囲】
【請求項１】
汁椀と飯椀と皿との組からなる食器のセットであって、飯椀の上縁部が皿の外周部と汁椀の上縁部との間に挟まれた状態で、飯椀が汁椀の内側に収納されかつ皿が飯椀の上縁に積重されることを特徴とする、食器のセット。
【請求項２】
汁椀と飯椀と皿との組からなる食器のセットであって、飯椀の上縁部が皿の外周下部と汁椀の上縁との間に挟まれた状態で、飯椀が汁椀の内側に収納されかつ皿がその上面を上にした状態で飯椀の上縁に積重されることを特徴とする、食器のセット。
【請求項３】
皿の外周下部と汁椀の上縁との間に挟まれている飯椀上縁部外周面の上下寸法と皿の外周面の上下寸法とが等しいことを特徴とする、請求項１又は２記載の食器のセット。
【請求項４】
汁椀と飯椀と皿との組からなる食器のセットであって、
皿の外周面下端と飯椀上縁部外周面上端とが等しい径で、当該皿の外周面下端と糸底との間に飯椀の上縁が収まる段差を有し、
飯椀の上縁部にその下端が汁椀上縁部外周面の上端と等しい径のリング状の上縁部外周面が形成されて、当該上縁部外周面とその直下の椀の外壁との間に汁椀の上縁が収まる段差を有し、
前記皿段差に飯椀の上縁を嵌合しかつ前記飯椀段差に汁椀の上縁を嵌合した状態で、飯椀が汁椀の内側に収納されかつ皿がその上面を上にした状態で飯椀の上縁に積重されることを特徴とする、食器のセット。
【請求項５】
汁椀の上縁部にその下部と当該椀の外壁との間に段差を備えたリング状の上縁部外周面が形成され、飯椀が汁椀の内側に収納されかつ皿が飯椀に積重されたときに、当該汁椀上縁部外周面と飯椀上縁部外周面と皿の外周面とが上下に３分割された円筒面を形成する、請求項４記載の食器のセット。
【考案の詳細な説明】
【技術分野】
【０００１】
この考案は、重ねて収納できるようにした食器のセットに関するもので、重ねたときの形状ないし構造に特徴がある上記物品に関するものである。
【背景技術】
【０００２】
１人が使用する複数種の食器を重ねてコンパクトに収納できるようにした食器のセットは、例えばアルミ合金製の登山者用の食器やプラスチック製の弁当箱などにおいて公知である。
【０００３】
食器は、用途によって様々な大きさ及び深さのものがあり、一般的には平面が円形であるから、径が小さくて深さが浅いものをそれより径が大きくて深さの深い食器の内側に重ねた状態で入れることにより、コンパクトに収納することが可能である。前述した登山者用の食器や弁当箱も径が小さくて浅い食器を径が大きくて深い食器の中に入れ、皿としても使用できる蓋を一番外側の食器の上に覆着するというものである。この場合、蓋は皿として使用するときの上面を下にして、かつその周壁で一番外側の食器の上縁部を覆うように覆着される。
【考案の概要】
【考案が解決しようとする課題】
【０００４】
登山者用の食器や弁当箱のように、携行上の利便性を必要とする食器以外の日常的に使用される漆器や陶器の食器で、１人が使用する複数種の食器を重ねて収納できるように考慮した食器のセットは従来知られていなかった。
【０００５】
この考案は、１人用の複数種の食器を１人分ずつ重ねて収納することができ、その収納した形状が優美でまとまりが良く、配膳に便利でかつ食事をする際にも持ちやすく使い勝手の良い食器のセットを提供することを課題としている。
【課題を解決するための手段】
【０００６】
この考案の食器のセットは、汁椀１と飯椀２と皿３とを含む食器のセットである。この考案の食器のセットは、飯椀２の上縁部２１を皿３の外周３１の下端と汁椀１の上縁１６との間に挟んだ状態で、飯椀２を汁椀１の内側に収納し、皿３の上面を上にした状態で、皿３を飯椀２の上縁に積重することができるものである。
【０００７】
好ましい形態のこの考案の食器のセットは、汁椀１の内側に収納した飯椀２に皿３を積重したとき、皿３の外周面３２、飯椀上縁部外周面２２及び汁椀上縁部外周面１２が同一の円筒面を形成するものである。更に好ましいこの考案の食器のセットは、上記構造で積重された皿の外周面３２と飯椀上縁部外周面２２と汁椀上縁部外周面１２とが、前記円筒面を等しい上下寸法で３分割するというものである。
【０００８】
すなわち、皿の外周面３２と飯椀上縁部外周面２２とが等しい径で、皿３の外周面３２と糸底３４との間に飯椀２の上縁の厚さｓに等しい段差３３を有し、飯椀の上縁部２１に皿の外周面３２と等しい径のリング状の上縁部外周面２２が形成され、この上縁部外周面２２の直下に汁椀１の上縁の厚さｔに等しい段差２３を有する構造とする。皿段差３３に飯椀２の上縁が嵌合しかつ飯椀段差２３に汁椀１の上縁が嵌合した状態で、飯椀２が汁椀１の内側に収納されかつ皿３が飯椀２の上縁に積重される。更に、汁椀１の上縁部１１にも飯椀上縁部外周面２２と同形のリング状の上縁部外周面１２を形成する。
【考案の効果】
【０００９】
この考案の食器のセットは、一般家庭や旅館などで日常的に使用される高級感のある漆器の食器のセットとして特に有用で、１人分を一まとめにしてコンパクトに収納することができ、配膳に便利で、食事の際の使い勝手や美観にも優れている。
【図面の簡単な説明】
【００１０】
【図１】この考案の食器のセットの一例を重ねた状態で示す断面図
【図２】図１の食器のセット中の皿の断面図
【図３】図１の食器のセット中の飯椀の断面図
【図４】図１の食器のセット中の汁椀の断面図
【図５】皿を２枚にしたセットを示す重ねた状態の断面図
【考案を実施するための形態】
【００１１】
図１は、この考案の第１実施形態を示した図である。この考案の食器のセットは、汁椀１と飯椀２と皿３とを備えている。１セットにつき汁椀１及び飯椀２は、それぞれ１個であるが、皿３は、図５に示すように、２個以上としてもよい。
【００１２】
皿３は、円筒形ないし下端が僅かに小径の（上端に対する傾斜が０．５〜２ｍｍ程度）の円錐面からなる外周面３２を備えており、皿底に設けた糸底３４と外周面３２の下端との間に段差３３を備えている。この段差の径方向の寸法ｓは、飯椀２の上縁の厚さｓと等しいか遊隙分だけ大きく、かつ外周面３２の下端の直径ｄは、飯椀２の上縁における外径ｄと等しい。
【００１３】
飯椀２は、その上縁部にリング状の上縁部外周面２２を備えており、この上縁部外周面２２の下端とこれより下方の椀の外壁面２４との間に段差２３が形成されている。この段差２３の径方向の寸法ｔは、汁椀の上縁の肉厚ｔに等しいか又は遊隙分だけ大きく、かつ当該下端の径ｅは、汁椀の上縁の外径ｅに等しい。リング状の上縁部外周面２２は、皿３の外周面３２を円筒面としたときは円筒面とし、皿３の外周面３２を円錐面としたときは同一頂角の円錐面とする。そして、皿の外周面３２の高さｂは、飯椀上縁部外周面２２の高さｂと等しい。
【００１４】
飯椀２の深さは、皿３の深さより深いことは当然のこととして、飯椀のリング状の上縁部外周面２２の下端から糸底の下端２５までの高さｈは、汁椀１の深さｉより小さい。
【００１５】
汁椀１は、その上縁部にリング状の上縁部外周面１２を備えており、この上縁部外周面１２の下端とこれより下方の椀の外壁面１４との間に段差１３が形成されている。このリング状の上縁部外周面１２は、皿３の外周面３２を円筒面としたときは円筒面とし、皿３の外周面３２を円錐面としたときは同一頂角の円錐面とする。そして、汁椀上縁部外周面１２の高さｂは、飯椀上縁部外周面２２の高さｂ及び皿の外周面３２の高さｂと等しい。
【００１６】
上記構造の皿３、飯椀２及び汁椀１は、飯椀２を汁椀１と皿３との間に挟んだ状態で重ねたとき、飯椀２が汁椀１の内側に収まり、皿３がその上面を上方にした状態で飯椀２の上に積重される。
【００１７】
この積重状態で汁椀１の上縁が飯椀２の上縁部外周面２２の直下に形成された段差２３に収まり、飯椀２の上縁が皿３の外周面３２の直下に形成された段差３３に収まって、径方向及び高さ方向にがたつきのない状態で重なり、かつ重ねたときに皿の外周面３２、飯椀上縁部外周面２２及び汁椀上縁部外周面１２が同一の円筒面ないし円錐面を形成し、かつこれらが当該円筒面ないし円錐面を上下に３分割するため、重ね合わせたときの外観に優れている。
【００１８】
図５に示すように、１セットに複数枚の皿を備えたセットとすることもできる。この場合、皿３の外周面３２を円筒面としたときは、皿３の上縁の厚さｓを皿段差３３の寸法ｓと等しいか遊隙分だけ薄くして、同一形状の皿の複数枚を１セットに含ませることができる。
【００１９】
一方、皿の外周面３２を円錐面としたときは、その上端と下端の径差分だけ上に重ねる皿の径を順次大きくする。この場合、重ねる皿の順序を間違えなくするために、重ねたときに下側となる皿の外周面を黒漆、上側となる皿の外周面を赤漆とするなど、上下の皿の色ないし模様を異なるものとするのが良い。
【００２０】
この考案の食器のセットは、それぞれの食器が食事の際の持ちやすさなどを考慮して決定された普通の形状をしており、重ねたときの美観にも優れている。そして、皿、飯椀、汁椀がそれぞれ材料を盛る面を上にして重ねられているので、収納や配膳の際に上下反転させるなどの操作を必要とせず、収納及び配膳作業が容易である。また、食器のそれぞれが極めて普通の一般的な形状であるため、漆器や陶器製の高級感のある食器とすることができる。また、重ねた状態での美観にも優れているので、収納時や配膳途中においても、その高級感を損なうことがない。
【符号の説明】
【００２１】
１  汁椀
２  飯椀
３  皿
11  汁椀の上縁部
12  汁椀上縁部外周面
16  汁椀の上縁
21  飯椀の上縁部
22  飯椀上縁部外周面
23  飯椀の段差
31  皿の外周
32  皿の外周面
33  皿の段差
34  糸底
ｓ  飯椀の上縁の厚さ
ｔ  汁椀の上縁の厚さ
【図１】
0003171052.tif 000003
【図２】
0003171052.tif 000004
【図３】
0003171052.tif 000005
【図４】
0003171052.tif 000006
【図５】
0003171052.tif 000007